【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
ユーザからの指示に応じて、撮像装置の動作モードを撮影モードと再生モードとを含む複数の動作モードの何れかに切り替えるモード切替手段と、
前記再生モードにおいて再生画像を表示するように制御する表示制御手段と、
前記再生モードで再生画像を表示している際に、特定の指示を受け付けたことに応じて、表示されている該再生画像の属性情報に基づいて、該再生画像を撮影した際の撮影設定のうち少なくとも一部の設定を前記撮像装置に設定するとともに、再生モードから撮影モードに切り替え、設定を反映したライブビュー画像を表示するように制御する制御手段と
を有することを特徴とする撮像装置。
【請求項２】
前記制御手段は、前記再生モードにおいて前記特定の指示を受け付けると、更なるユーザ操作がなくとも、撮影モードに切り替え、設定を反映したライブビュー画像を表示するように制御することを特徴とする請求項１に記載の撮像装置。
【請求項３】
前記表示制御手段は、前記再生モードで再生画像を表示する際に、再生画像の属性情報に基づいた撮影設定が可能な場合、前記特定の指示を行うための表示アイテムを表示するように制御することを特徴とする請求項１に記載の撮像装置。
【請求項４】
前記表示制御手段は、再生画像が特定の撮影モードで撮影された画像である場合に前記表示アイテムを表示するように制御することを特徴とする請求項３に記載の撮像装置。
【請求項５】
前記表示制御手段は、前記再生モードにおいて前記特定の指示を受け付ける前に、前記特定の指示を受け付けると撮影モードに切り替わることを示すガイダンスを表示するように制御することを特徴とする請求項１乃至４の何れか１項に記載の撮像装置。
【請求項６】
複数の撮影モードのいずれかに設定する撮影モード設定手段を更に有し、
前記制御手段は、前記特定の指示を受け付けた際に、撮影モードの設定が特定の撮影モードであった場合には、前記少なくとも一部の設定を前記撮像装置に設定するとともに、再生モードから前記特定の撮影モードに切り替え、
前記特定の指示を受け付けた際に、撮影モードの設定が前記特定の撮影モードでなかった場合には、再生モードから撮影モードに遷移しないように制御することを特徴とする請求項１乃至５のいずれか１項に記載の撮像装置。
【請求項７】
前記制御手段は、前記再生モードで再生画像を表示しており、かつ、撮影モードの設定が前記特定の撮影モードでなかった場合に、前記特定の指示を受け付けると、その後のユーザからの操作に応じて前記特定の撮影モードに切り替えられた場合に、前記少なくとも一部の設定を前記撮像装置に設定するとともに、設定を反映したライブビュー画像を表示するように制御することを特徴とする請求項６に記載の撮像装置。
【請求項８】
前記表示制御手段は、前記再生モードで再生画像を表示しており、かつ、撮影モードの設定が前記特定の撮影モードでなかった場合に、前記特定の指示の後に前記特定の撮影モードに切り替えることで、前記少なくとも一部の設定を前記撮像装置に設定できることを示すガイダンスを表示するように制御することを特徴とする請求項７に記載の撮像装置。
【請求項９】
前記制御手段によって設定される前記再生画像を撮影した際の撮影設定は、背景のぼかし量、明るさ、色合い、コントラスト、鮮やかさ、モノクロ設定、絞り、露出補正、ホワイトバランス、画像処理の設定の少なくとも一つであることを特徴とする請求項１乃至８の何れか１項に記載の撮像装置。
【請求項１０】
前記特定の撮影モードは、絞り、露出補正、ホワイトバランスの設定をそれぞれ、ぼかし、明るさ、色合いに関する設定項目としてユーザに設定させる撮影モードであることを特徴とする請求項４、６乃至８の何れか１項に記載の撮像装置。
【請求項１１】
前記表示制御手段は、前記再生画像とともに、前記少なくとも一部の設定を表示するように制御することを特徴とする請求項１乃至１０の何れか１項に記載の撮像装置。
【請求項１２】
前記表示制御手段は、前記制御手段によって前記少なくとも一部の設定を前記撮像装置に設定する際に、当該設定の前に設定されていた撮影設定が上書きされることを示すガイダンスを表示するように制御することを特徴とする請求項１乃至１１の何れか１項に記載の撮像装置。
【請求項１３】
前記表示制御手段は、前記少なくとも一部の設定を前記撮像装置に設定するとともに、再生モードから撮影モードに切り替えられた場合に、現在の設定が、再生画像に基づくものであることを示すガイダンスを表示するように制御することを特徴とする請求項１乃至１２の何れか１項に記載の撮像装置。
【請求項１４】
前記表示制御手段は、前記少なくとも一部の設定を前記撮像装置に設定するとともに、再生モードから撮影モードに切り替えられた場合に、前記ライブビュー画像とともに前記再生画像を表示することを特徴とする請求項１乃至１３のいずれか１項に記載の撮像装置。
【請求項１５】
ユーザからの指示に応じて、撮像装置の動作モードを撮影モードと再生モードとを含む複数の動作モードの何れかに切り替えるモード切替ステップと、
前記再生モードにおいて再生画像を表示するように制御する表示制御ステップと、
前記再生モードで再生画像を表示している際に、特定の指示を受け付けたことに応じて、表示されている該再生画像の属性情報に基づいて、該再生画像を撮影した際の撮影設定のうち少なくとも一部の設定を前記撮像装置に設定するとともに、再生モードから撮影モードに切り替え、設定を反映したライブビュー画像を表示するように制御する制御ステップと
を有することを特徴とする撮像装置の制御方法。
【請求項１６】
コンピュータを、請求項１乃至１４のいずれか１項に記載された撮像装置の各手段として機能させるためのプログラム。
【請求項１７】
コンピュータを、請求項１乃至１４のいずれか１項に記載された撮像装置の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
上記目的を達成するために、本発明の撮像装置は、ユーザからの指示に応じて、撮像装置の動作モードを撮影モードと再生モードとを含む複数の動作モードの何れかに切り替えるモード切替手段と、前記再生モードにおいて再生画像を表示するように制御する表示制御手段と、前記再生モードで再生画像を表示している際に、特定の指示を受け付けたことに応じて、表示されている該再生画像の属性情報に基づいて、該再生画像を撮影した際の撮影設定のうち少なくとも一部の設定を前記撮像装置に設定するとともに、再生モードから撮影モードに切り替え、設定を反映したライブビュー画像を表示するように制御する制御手段とを有する。
【手続補正３】
【補正対象書類名】明細書
【補正対象項目名】００４５
【補正方法】変更
【補正の内容】
【００４５】
図５（ｂ）は、クリエイティブアシストモードでのクイック設定画面において背景ぼかし量の設定項目が選択されている場合を示している。クイック設定画面では、スルー画像に重畳して、画面中央に「背景」の文字、画面両側に右側項目列５１０および左側項目列５１１、画面下部に選択されている設定項目に関する設定を行うための背景ぼかし量設定領域５２２が表示される。右側項目列５１０には、図５（ａ）と同様に背景ぼかし量アイコン５１２、明るさアイコン５１３、コントラストアイコン５１４、鮮やかさアイコン５１５、色合いアイコン５１６、モノクロ設定アイコン５１７が表示される。左側項目列５１１には、設定登録アイコン５１８、設定読み込みアイコン５１９が表示される。アイコン５１２〜５１９のいずれか１つにカーソル５０９が表示される。ユーザは、操作部１０４に含まれる上下ボタンを操作することによってカーソルを移動させ、アイコン５１２〜５１９のいずれかを選択することができる。なお、右側項目列５１０と左側項目列５１１に表示される項目は同階層の項目である。すなわち、右側項目列５１０の最下部に配置されたモノクロ設定アイコン５１７にカーソル５０９がある状態で下ボタンが押下されると左側項目列５１１の最上部に配置された設定登録アイコン５１８にカーソル５０９が移動する。反対に、左側項目列５１１の最上部に配置された設定登録アイコン５１８にカーソル５０９がある状態で上ボタンが押下されると、右側項目列５１０の最下部に配置されたモノクロ設定アイコン５１７にカーソル５０９が移動する。図５（ｂ）では、背景ぼかし量アイコン５１２が選択されているため、画面下部には、背景ぼかし量を設定するための背景ぼかし量設定領域５２２が表示されている。背景ぼかし量は、ＯＦＦ、０〜５のいずれかに設定値に設定することができる。
【手続補正４】
【補正対象書類名】明細書
【補正対象項目名】００７４
【補正方法】変更
【補正の内容】
【００７４】
Ｓ４１９、Ｓ４２０では、第１シャッタースイッチ信号ＳＷ１と第２シャッタースイッチ信号ＳＷ２のオン／オフ状態を判定する。判定の結果、第１シャッタースイッチ信号ＳＷ１がオンされた状態で第２シャッタースイッチ信号ＳＷ２がオンされると、Ｓ４２１へ進む。また、第１シャッタースイッチ信号ＳＷ１がオフになると（つまり、第２シャッタースイッチ信号ＳＷ２がオンされずに、第１シャッタースイッチ信号ＳＷ１もオフされた場合）、Ｓ４００へ戻る。また、第１シャッタースイッチ信号ＳＷ１がオン、第２シャッタースイッチ信号ＳＷ２がオフの間は、Ｓ４１９、Ｓ４２０の処理が繰り返される。
【手続補正５】
【補正対象書類名】明細書
【補正対象項目名】０１１９
【補正方法】変更
【補正の内容】
【０１１９】
Ｓ８１３では、システム制御部２０１は、再生情報表示が簡易表示（図９（ｂ））か否かを判定し、簡易表示の場合はＳ８１４に進み、そうでない場合はＳ８１７に進む。